(57)【要約】【課題】  簡易な施工で、天井側クロスを天井材の下面のみならず側面側まで、確実に配設することができ、天井側クロスの端縁部が露出する恐れのない見切縁を提供する。【解決手段】  本発明の見切縁１は、天井材の下地４０に固定されるベース部１１と、天井材の側面３２側で天井側クロス３４の端縁部を収納する天井側クロス収納空間１４と、天井材の側面３２に近接し、天井側クロス収納空間１４を画定する空間画定部１２とを具備する第１部材１０と、第１部材１０のベース部１１と平行配置されるベース部２１を具備する第２部材２０とからなり、第１部材と第２部材のうち、一方のベース部には、一対の挟持片１３Ａ、１３Ｂからなる挟持部１３が突設される一方、他方のベース部には、挟持部１３に挟持される被挟持部２２が突設され、これら挟持部１３と被挟持部２２によって、第１部材１０と第２部材２０とが互いに嵌合することを特徴とする。【選択図】  図１
2006016919.tif 000002
【特許請求の範囲】
【請求項１】
天井と壁との隅部に取り付けられる見切縁において、
天井材の下地に固定されるベース部と、天井材の側面側で天井側クロスの端縁部を収納する天井側クロス収納空間と、天井材の側面に近接し、前記天井側クロス収納空間を画定する空間画定部とを具備する第１部材と、
前記第１部材の前記ベース部と平行配置されるベース部を具備する第２部材とからなり、
前記第１部材と前記第２部材のうち、一方のベース部には、一対の挟持片からなる挟持部が突設される一方、他方のベース部には、前記挟持部に挟持される被挟持部が突設され、これら挟持部と被挟持部によって、前記第１部材と前記第２部材とが互いに嵌合することを特徴とする見切縁。
【請求項２】
前記第１部材はさらに、壁側クロスの端縁部が収納される壁側クロス収納空間を具備することを特徴とする請求項１に記載の見切縁。
【請求項３】
前記第２部材はさらに、天井材の下面を支持する天井材下面支持部を具備することを特徴とする請求項１又は２に記載の見切縁。
【請求項４】
前記天井材下面支持部は、前記第２部材の前記ベース部に突設された突状部に、前記ベース部に対向するように設けられていることを特徴とする請求項３に記載の見切縁。
【請求項５】
前記第２部材には、天井側クロス及び壁側クロスを押さえる軟質部材が取り付けられていることを特徴とする請求項１〜４のいずれかに記載の見切縁。
【発明の詳細な説明】
【技術分野】
【０００１】
本発明は、天井と壁との隅部に取り付けられる見切縁に関する。
【背景技術】
【０００２】
天井と壁との隅部に取り付けられる見切縁として、特許文献１、２等には、天井材の端縁部を収納する断面コ字状部と、壁側クロスの端縁部を収納する壁側クロス収納空間を有する見切縁が開示されている。特許文献１は１部材構成、特許文献２は２部材構成であるが、全体の基本的な構成は同様であるので、２部材構成の見切縁の構成を簡単に説明する。
【０００３】
図５（ａ）に示す従来の見切縁１００は、天井材４００の下地５００に固定される雄部材２００と、これに嵌合する雌部材３００との２部材構成になっている。
雄部材２００はベース部２０１と、雌部材３００の後記挟持部に挟持される被挟持部２０２と、被挟持部２０２から分岐形成された収納壁２０３とから概略構成されている。雌部材３００は、ベース部３０１と、雄部材２００の被挟持部２０２を挟持する挟持部３０２とから概略構成されている。そして、雄部材のベース部２０１及び被挟持部２０２、雌部材のベース部３０１及び挟持部３０２により、天井材４００の端縁部を収納する断面コ字状部４０１が構成されている。また、雄部材２００の収納壁２０３と壁材６００とで形成される空間が、壁側クロス６０１の端縁部を収納する壁側クロス収納空間６０２となっている。
かかる構成の見切縁１００では、例えば、雄部材２００を天井材の下地５００に固定し、雄部材２００に天井材４００を固定した後、雌部材３００を嵌合させ、最後に、壁側クロス６０１を壁材６００に貼付し、その端縁部を壁側クロス収納空間６０２に収納することで、施工できる。
【特許文献１】実開昭５７−８９７３９号公報
【特許文献２】特許第２５１７８０７号公報
【発明の開示】
【発明が解決しようとする課題】
【０００４】
特許文献１、２は、壁側にのみクロスを貼付することを前提としたものであるが、天井側にもクロスを貼付することがある。
図５に示した２部材構成の見切縁に、天井側クロスの貼付を適用する場合、天井材に天井側クロスを貼付してから、雌部材を嵌合すれば良いが、図５（ｂ）に示すように、従来は、天井材の下面にのみ天井側クロス（符号４０２）を貼付することが一般的である。しかしながら、見切縁が大きくなると外観を損ねるため、断面コ字状部の奥行きはせいぜい４〜５ｍｍであり、これに収納される天井側クロスの端縁部は数ｍｍ程度である。そのため、天井側クロスが収縮等すると、天井側クロスの端縁部が断面コ字状部の外部に露出し、外観を損ねる恐れがある。
【０００５】
そこで、天井側クロスを折り曲げて、天井材の側面側まで配設し、断面コ字状部に収納される天井側クロスの長さを長くすることが好ましい。
この場合、天井材と断面コ字状部の奥面（挟持部３０２の天井材側の面）との間に、天井側クロスを挿入する空間（符号４０３）を充分に確保する必要がある。しかしながら、４〜５ｍｍ程度の奥行きの断面コ字状部の中で、天井材の端縁部を充分に収納しつつ、その側面を断面コ字状部の奥面から適度に離間させるという施工は極めて困難であり、現実的ではない。
【０００６】
本発明は上記事情に鑑みてなされたものであり、簡易な施工で、天井側クロスを天井材の下面のみならず側面側まで確実に配設することができ、天井側クロスの端縁部が露出する恐れのない見切縁を提供することを目的とする。
【課題を解決するための手段】
【０００７】
本発明者は上記課題を解決するべく鋭意検討し、以下の見切縁を発明した。
本発明の見切縁は、天井と壁との隅部に取り付けられる見切縁において、天井材の下地に固定されるベース部と、天井材の側面側で天井側クロスの端縁部を収納する天井側クロス収納空間と、天井材の側面に近接し、前記天井側クロス収納空間を画定する空間画定部とを具備する第１部材と、前記第１部材の前記ベース部と平行配置されるベース部を具備する第２部材とからなり、前記第１部材と前記第２部材のうち、一方のベース部には、一対の挟持片からなる挟持部が突設される一方、他方のベース部には、前記挟持部に挟持される被挟持部が突設され、これら挟持部と被挟持部によって、前記第１部材と前記第２部材とが互いに嵌合することを特徴とする。
【０００８】
前記第１部材はさらに、壁側クロスの端縁部が収納される壁側クロス収納空間を具備することが好ましい。
前記第２部材はさらに、天井材の下面を支持する天井材下面支持部を具備することが好ましい。この場合、前記天井材下面支持部は、前記第２部材の前記ベース部に突設された突状部に、前記ベース部に対向するように設けられていることが好ましい。
また、前記第２部材には、天井側クロス及び壁側クロスを押さえる軟質部材が取り付けられていることが好ましい。
なお、本明細書における「軟質部材」とは、ベース部よりも軟質な部材を意味するものとする。
【発明の効果】
【０００９】
本発明によれば、天井材の側面側で天井側クロスの端縁部を収納する天井側クロス収納空間と、天井材の側面に近接し、天井側クロス収納空間を画定する空間画定部とを設ける構成としているので、簡易な施工で、天井側クロスを天井材の下面のみならず側面側まで、確実に配設することができ、天井側クロスの端縁部が露出する恐れのない見切縁を提供することができる。
【発明を実施するための最良の形態】
【００１０】
［第１実施形態］
（構造）
次に、図１に基づいて、本発明に係る第１実施形態の見切縁の構造について説明する。本実施形態の見切縁１は、天井と壁との隅部に取り付けられるものであり、天井ボード等の天井材の下地である野縁等に固定される雌部材（第１部材）１０と、これに嵌合する雄部材（第２部材）２０の２部材構成である。図１において、（ａ）は雌部材単体、（ｂ）は雄部材単体、（ｃ）はこれらを天井と壁との隅部に取り付けた状態を各々示す断面図である。
【００１１】
本実施形態の見切縁１を構成する雌部材１０は、天井材３０の下地４０に固定され、天井材の上面３１を支持するベース部１１に、一対の挟持片１３Ａ、１３Ｂからなる挟持部１３が天井材の側面３２に対して平行に突設され、天井材３０側の挟持片１３Ｂから、天井側クロス収納空間１４を画定するＬ字状の空間画定部１２が分岐形成されたものである。
ベース部１１には、雌部材１０を天井材の下地４０に固定するためのネジやビス等の固定部材６１を挿通するネジ穴１１Ａが開口されている。
【００１２】
空間画定部１２は、挟持片１３Ｂに垂設され、ベース部１１に平行な部分１２Ａと、その末端から折れ曲がり、挟持片１３Ｂに平行な部分１２Ｂとからなり、挟持片１３Ｂに平行な部分１２Ｂが、天井材の側面３２に近接するようになっている。そして、かかるＬ字状の空間画定部１２と挟持片１３Ｂとの間の空間が、天井材の側面３２側で天井側クロス３４の端縁部を収納する天井側クロス収納空間１４となっている。
また、空間画定部１２の下端は、天井側クロス収納空間１４の間口を広くし、クロス３４を挿入しやすくするため、挟持片１３Ｂの下端より高い位置に設定されている。
【００１３】
壁側の挟持片１３Ａは、壁側クロスを貼付する下地である内装ボード等の壁材５０に当接しないように、ベース部１１の壁側末端より天井材３０側に離間して設けられている。これによって、挟持片１３Ａと壁材５０との間に空間が形成され、この空間が壁側クロス５１の端縁部が収納される壁側クロス収納空間１５となっている。
【００１４】
雄部材２０は、雌部材１０のベース部１１と平行配置されるベース部２１に、挟持部１３に挟持される被挟持部２２が突設されたものである。雌部材１０の挟持部１３の内側と、雄部材２０の被挟持部２２の外側には、それぞれ凹凸が設けられ波状に加工されており、互いに嵌合するように構成されている。
【００１５】
この例では、挟持片１３Ａ、１３Ｂに線対称に凹凸を設け、挟持片１３Ａの凸部と挟持片１３Ｂの凸部、挟持片１３Ａの凹部と挟持片１３Ｂの凹部が互いに対向するよう構成し、これに合わせて、被挟持部２２も線対称構造としている。
但し、挟持片１３Ａ、１３Ｂ、被挟持部２２に設ける凹凸の形状はこれに限定されるものではなく、適宜設計できる。例えば、図２（ａ）、（ｂ）に示すように、凹凸パターンをずらし、挟持片１３Ａの凸部と挟持片１３Ｂの凹部、挟持片１３Ａの凹部と挟持片１３Ｂの凸部が互いに対向するよう構成し、これに合わせて、被挟持部２２も非線対称構造とすることで、雄部材２０の雌部材１０からの取り外しを容易にすることができる。
【００１６】
雄部材２０のベース部２１にはさらに、被挟持部２２の天井材３０側に突状部２３が突設され、この上端に、ベース部２１に対向するように、天井材の下面３３を支持する天井材下面支持部２４が設けられている。さらに、被挟持部２２には、天井材下面支持部２４に向けて突状部２５が突設されている。そして、ベース部２１、被挟持部２２、突状部２３、天井材下面支持部２４、及び突状部２５に囲まれる空間が、複数の見切縁１を連結するための連結部材（図示略）を挿通する連結部材挿通空間２６となっている。
【００１７】
また、雄部材２０の天井材下面支持部２４及びベース部２１には、各々、天井側クロス３４、壁側クロス５１を押さえ、見切縁１とクロス３４、５１との微小な隙間を埋める軟質部材２７、２８が取り付けられている。
見切縁１の材質は特に制限はないが、雌部材１０、及び雄部材２０の軟質部材２７、２８以外の部分は、硬質塩化ビニル樹脂等、軟質部材２７、２８は、軟質塩化ビニル樹脂等が好ましく用いられる。
本実施形態の見切縁１は以上のように構成されている。
【００１８】
（施工方法）
次に、図３に基づいて、見切縁１の施工方法について説明する。
はじめに、図３（ａ）に示すように、雌部材１０のネジ穴１１Ａに固定部材６１を挿通し、この固定部材６１を天井材の下地４０に埋め込むことで、雌部材１０のベース部１１の壁側末端が壁材５０に当接するよう、雌部材１０のベース部１１を天井材の下地４０に固定する。
次に、同図（ｂ）に示すように、天井材３０の上面３１がベース部１１に当接し、側面３２が空間画定部１２に近接するように、天井材３０を配し、これをネジやビス等の固定部材６２で下地４０に固定する。
次に、同図（ｃ）に示すように、壁材５０に壁側クロス５１を貼付し、壁側クロス５１の端縁部を雌部材１０の壁側クロス収納空間１５に収納する。この際、必要に応じて、クロスの不要部分をカッタ等で切除する。
次に、同図（ｄ）に示すように、天井材３０の下面３３に天井側クロス３４を貼付し、その端縁部を雌部材１０の天井側クロス収納空間１４に収納する。この際、必要に応じて、天井側クロス３４の不要部分をカッタ等で切除する。
最後に、同図（ｅ）に示すように、雄部材２０の被挟持部２２を雌部材１０の挟持部１３に嵌合し、天井材下面支持部２４を天井材３０に貼付されたクロス３４上に当接させることで、施工が完了する。
【００１９】
なお、雌部材１０の取り付け、天井材３０の取り付け、天井側クロス３４の貼付、雄部材２０の嵌合については、この順で行う必要があるが、その他の手順については適宜変更できる。例えば、壁側クロス５１と天井側クロス３４の施工順序は逆でも構わないし、壁側クロス５１を貼付してから、雌部材１０を固定することもできる。
【００２０】
本実施形態の見切縁１では、雌部材１０と雄部材２０の２部材構成とし、雌部材１０に、天井材の側面３２側で天井側クロス３４の端縁部を収納する天井側クロス収納空間１４を設けると共に、雄部材２０の被挟持部２２を挟持する挟持部１３から、天井材の側面３２に近接し、天井側クロス収納空間１４を画定するＬ字状の空間画定部１２を分岐形成する構成とした。
【００２１】
したがって、空間画定部１２が天井材３０のストッパとなり、天井材３０の取り付け等により、天井側クロス収納空間１４が影響を受けることがなく、所定間隔の天井側クロス収納空間１４が常に確保され、天井側クロス３４を天井材の下面３３のみならず側面３２側まで、確実に配設することができる。その結果、見切縁１に収納される天井側クロス３４の長さが充分に確保され、天井側クロス３４の端縁部が露出する恐れがなく、美観が保たれる。
さらに、本実施形態では、雄部材２０に天井側クロス３４を押さえる軟質部材２７を設ける構成としたので、天井側クロス３４の天井材３０からの剥離が抑えられ、天井側クロス３４の端縁部の露出がより一層抑えられる。
【００２２】
本実施形態では、天井側クロス３４を収納するために、天井材３０の取り付け位置を調整するなどの必要がなく、しかも天井材３０は空間画定部１２に近接させれば良いので、天井材３０の位置合わせが容易である。また、天井側クロス３４の不要部分をカッタ等で切除する際には、カッタ等の先端を空間画定部１２のベース部１１に平行な部分１２Ａに当接させ、スライドすれば良いので、空間画定部１２を定規代わりに使用することもでき、不要部分の切除も容易である。したがって、施工も簡易である。
【００２３】
本実施形態では、雌部材１０に、壁側クロス収納空間１５を設け、雄部材２０に壁側クロス５１を押さえる軟質部材２８を設ける構成としたので、壁側クロス５１についても、端縁部が露出する恐れがなく、美観が保たれる。
【００２４】
本実施形態ではまた、雄部材２０に、天井材３０の下面を支持する天井材下面支持部２４を設ける構成としたので、雌部材１０のベース部１１、空間画定部１２、及び雄部材２０の天井材下面支持部２４によって、天井材３０の端縁部を上面、側面、下面の３方向から覆うことができ、天井材３０をより安定的に固定することができる。
【００２５】
さらに、天井材下面支持部２４は、ベース部２１に突設された突状部２３に、ベース部２１に対向するように設ける構成としたので、ベース部２１、被挟持部２２、突状部２３、天井材下面支持部２４によって、連結部材挿通空間２６が形成され、見切縁１同士の連結も容易である。また、天井材３０の下面側を、ベース部２１と天井材下面支持部２４との２重構成とし、被挟持部２２に天井材下面支持部２４に向けて突状部２５を突設することで、雄部材２０の強度が高まり、雄部材２０の天井材３０を支える効果が高まるという効果も得られる。
【００２６】
［第２実施形態］
（構造）
次に、図４に基づいて、本発明に係る第２実施形態の見切縁の構造について説明する。同図は図１と同様の図面であり、同じ構成要素については同じ参照符号を付し、説明は省略する。
【００２７】
本実施形態の見切縁２は、第１実施形態と同様、天井材の下地に固定される雌部材（第１部材）７０と、これに嵌合する雄部材（第２部材）８０の２部材構成である。
第１実施形態では、雌部材１０に、天井側クロス収納空間１４を画定するＬ字状の空間画定部１２を設ける構成とした。これに対して、本実施形態では、空間画定部７２は、挟持片１３Ｂに垂設され、ベース部１１に平行な部分１２Ａのみからなり、その端面が天井材の側面３２に近接するようになっている。すなわち、本実施形態では、挟持片１３Ｂと空間画定部７２と天井材３０とで囲まれる空間が、天井材の側面３２側で天井側クロス３４の端縁部を収納する天井側クロス収納空間１４となっている。
【００２８】
また、第１実施形態では、雄部材２０に天井材下面支持部２４や連結部材挿通空間２６を設ける構成としたが、本実施形態ではこれらはなく、ベース部２１に被挟持部２２が突設され、ベース部２１の両端にクロス３４、５１を押さえる軟質部材２７、２８を取り付けた、よりシンプル構成となっている。
【００２９】
見切縁２は以上のように構成されている。その施工方法は、第１実施形態と同様であるので、説明は省略する。
【００３０】
本実施形態の見切縁２においても、雌部材７０と雄部材８０の２部材構成とし、雌部材７０に、天井材の側面３２側で天井側クロス３４の端縁部を収納する天井側クロス収納空間１４を設けると共に、天井材の側面３２に近接し、天井側クロス収納空間１４を画定する空間画定部７２を設ける構成とした。
したがって、第１実施形態と同様、空間画定部７２が天井材３０のストッパとなり、天井材３０の取り付け等により、天井側クロス収納空間１４が影響を受けることがなく、所定間隔の天井側クロス収納空間１４が常に確保されるので、天井側クロス３４を天井材の下面３３のみならず側面３２側まで、確実に配設することができる。その結果、見切縁１に収納される天井側クロス３４の長さが充分に確保され、天井側クロス３４の端縁部が露出する恐れがなく、美観が保たれる。
また、本実施形態においても、雄部材２０に天井側クロス３４を押さえる軟質部材２７を設ける構成としたので、天井側クロス３４の端縁部の天井材３０からの剥離が抑えられ、天井側クロス３４の端縁部の露出がより一層抑えられる。
第１実施形態と同様、施工も簡易である。
【００３１】
本実施形態においても、雌部材１０に、壁側クロス収納空間１５を設け、雄部材２０に壁側クロス５１を押さえる軟質部材２８を設ける構成としたので、壁側クロス５１についても、端縁部が露出する恐れがなく、美観が保たれる。
【００３２】
また、本実施形態では、第１実施形態と異なり、天井材下面支持部２４や連結部材挿通空間２６を設けていないので、これらによる効果は得られないものの、構造がよりシンプルで、製造容易性やコスト削減等の点でメリットがある。
【００３３】
なお、本発明の見切縁は、上記第１、第２実施形態に限定されず、適宜設計変更できる。例えば、天井材の下地に固定される第１部材を挟持部を有する雌部材とし、これに嵌合する第２部材を被挟持部を有する雄部材としたが、第１部材を雄部材、第２部材を雌部材としても良い。この場合には、雄部材側に、天井側クロス収納空間と、これを画定する空間画定部とを設ければ良い。
【産業上の利用可能性】
【００３４】
本発明の見切縁は、天井と壁との隅部に取り付けられる見切縁であり、天井と壁の双方にクロスを貼付する場合に用いて好適なものである。
【図面の簡単な説明】
【００３５】
【図１】図１（ａ）〜（ｃ）は、本発明に係る第１実施形態の見切縁の雌部材、雄部材、これらを天井と壁との隅部に取り付けた状態を各々示す断面図である。
【図２】図２（ａ）、（ｂ）は、本発明に係る第１実施形態の見切縁のその他の構成を示す図である。
【図３】図３（ａ）〜（ｅ）は、図１の見切縁の施工方法を示す工程図である。
【図４】図４（ａ）〜（ｃ）は、本発明に係る第２実施形態の見切縁の雌部材、雄部材、これらを天井と壁との隅部に取り付けた状態を各々示す断面図である。
【図５】図５（ａ）、（ｂ）は、従来の見切縁を示す図である。
【符号の説明】
【００３６】
１、２  見切縁
１０、７０  雌部材（第１部材）
２０、８０  雄部材（第２部材）
１１、２１  ベース部
１２、７２  空間画定部
１３Ａ、１３Ｂ  挟持片
１３  挟持部
１４  天井側クロス収納空間
１５  壁側クロス収納空間
２２  被挟持部
２３  突状部
２４  天井材下面支持部
２７、２８  軟質部材
３０  天井材
３１  天井材の上面
３２  天井材の側面
３３  天井材の下面
３４  天井側クロス
４０  天井材の下地
５０  壁材
５１  壁側クロス
【図１】
2006016919.tif 000003
【図２】
2006016919.tif 000004
【図３】
2006016919.tif 000005
【図４】
2006016919.tif 000006
【図５】
2006016919.tif 000007